(57)【要約】【課題】おが屑等から得られる木粉を使用して廃棄物の再利用を図りながら表面に木質感を得ることができ、しかも、軽量化を図ることも可能で、また、樹脂スクラップや廃材等の樹脂廃棄物の再利用も図ることができる三層パイプを提供する。【解決手段】三層パイプは、木粉と合成樹脂との混合物からなる外層１１と、合成樹脂発泡体あるいは樹脂スクラップや廃材を粉砕して得た再生原料からなる中間層１２と、木粉と合成樹脂との混合物あるいは非発泡の合成樹脂からなる内層１３とを有している。【選択図】    図１
2004188813.tif 000002
【特許請求の範囲】
【請求項１】
木粉と合成樹脂との混合物からなる外層と、合成樹脂発泡体からなる中間層と、木粉と合成樹脂との混合物からなる内層とを有することを特徴とする三層パイプ。
【請求項２】
木粉と合成樹脂との混合物からなる外層と、合成樹脂発泡体からなる中間層と、合成樹脂からなる内層とを有することを特徴とする三層パイプ。
【請求項３】
木粉と合成樹脂との混合物からなる外層と、樹脂スクラップや廃材を粉砕して得た再生原料からなる中間層と、木粉と合成樹脂との混合物からなる内層とを有することを特徴とする三層パイプ。
【請求項４】
木粉と合成樹脂との混合物からなる外層と、樹脂スクラップや廃材を粉砕して得た再生原料からなる中間層と、合成樹脂からなる内層とを有することを特徴とする三層パイプ。
【発明の詳細な説明】
【０００１】
【発明の属する技術分野】
本発明は、三層パイプに関し、詳しくは、住宅用の手摺や柱等に使用する建材用として好適な木質感を有する三層パイプに関する。
【０００２】
【従来の技術】
従来から、各種配管に使用する合成樹脂パイプとして、軽量化や防音効果を得るために中間層に発泡体を使用した三層パイプ（例えば、特許文献１参照。）や、廃棄物（焼却灰）の有効利用を図るために中間層に焼却灰を分散させた三層パイプ（例えば、特許文献２参照。）が知られている。
【０００３】
【特許文献１】
特開２００２−８９７５５号公報（第２頁、第１図）
【０００４】
【特許文献２】
特開２００１−４１３６３号公報（第２頁、第１図）
【０００５】
【発明が解決しようとする課題】
しかし、これらの三層パイプは、中間層にのみ着目して軽量化や廃棄物の利用を図っているものであり、外層（表面層）は通常の合成樹脂パイプと変わらないものであった。
【０００６】
そこで本発明は、おが屑等から得られる木粉を使用して廃棄物の再利用を図りながら、表面に木質感を有するとともに軽量化も図れる三層パイプを提供することを目的としている。
【０００７】
【課題を解決するための手段】
上記目的を達成するため、本発明の三層パイプは、外層（表面層）として木粉と合成樹脂との混合物からなるものを使用したものであって、中間層及び内層として、第１の構成は、合成樹脂発泡体からなる中間層と、木粉と合成樹脂との混合物からなる内層とを用いる。第２の構成は、同じく合成樹脂発泡体からなる中間層と、非発泡の合成樹脂からなる内層とを用いる。第３の構成は、樹脂スクラップや廃材を粉砕して得た再生原料からなる中間層と、木粉と合成樹脂との混合物からなる内層とを用いる。そして、第４の構成は、樹脂スクラップや廃材を粉砕して得た再生原料からなる中間層と、非発泡の合成樹脂からなる内層とを用いるようにしている。
【０００８】
【発明の実施の形態】
図１は本発明の一形態例を示す三層パイプの断面図、図２は要部の拡大断面図である。この三層パイプは、外層１１，中間層１２及び内層１３からなる三層構造のものであって、外層１１には木粉と合成樹脂との混合物を使用している。この外層１１に使用する木粉は、製材工場、木工工場等から副生成物や廃棄物として得られるもの、例えばおが屑であって、松、栂、桜、杉、楢、桧、ブナ、ラワン、樅等の一般に建具や家具等に用いられている樹木の木粉を使用することができる。
【０００９】
木粉の形状としては、成形性や耐久性を損なわない範囲で任意のものを使用可能であるが、通常は粉砕品が好適であり、１００メッシュ以下の粉末が木質感の細かさにおいて好適である。一方、この木粉と混合する合成樹脂は、建材として多用されている塩化ビニル樹脂が最適であるが、三層パイプの用途に応じて他の合成樹脂、例えばポリエチレンやスチレン系樹脂を使用することもできる。
【００１０】
また、外層１１における木粉と合成樹脂との混合割合は、混合物中の木粉の割合が１０〜８０重量％、特に３０〜７０重量％の範囲になるように設定することが好ましく、木粉の割合が少なすぎると良好な木質感を得ることができず、木粉の割合が多くなる過ぎると成形性が損なわれてしまう。さらに、この混合物には、必要に応じて滑剤、充填剤、着色剤、紫外線吸収剤、耐候剤、難燃剤、補強剤等を添加することができる。
【００１１】
中間層１２は、合成樹脂発泡体あるいは樹脂スクラップや廃材を粉砕して得た再生原料で形成されるものであって、まず、合成樹脂発泡体としては、例えば、有機系発泡剤や無機系発泡剤を含む塩化ビニル樹脂を使用することができる。具体的には、重合度が約１０００（９５０〜１０５０）の硬質塩化ビニル系樹脂に、アゾジカルボンアミド、アゾビスホルムアミド、アゾジカルボン酸バリウム、ベンゼンスルホニルヒドラジド、Ｎ，Ｎ’−ジニトロソペンタメチレン等の有機系発泡剤及び重炭酸ナトリウム、重炭酸アンモニウム、水素化ホウ素ナトリウム、炭酸アンモニウム等の無機系発泡剤のいずれか一方又は双方を添加したものを使用することができる。
【００１２】
この合成樹脂発泡体における発泡倍率は、１．５〜３．０の範囲が適当であり、発泡倍率が低いと軽量化が不十分となり、発泡倍率が高すぎると強度が不足してしまう。さらに、硬質塩化ビニル系樹脂の重合度が低いと曲げ強度や耐衝撃性が低くなり、高すぎると発泡性が不十分となる。また、有機系発泡剤及び無機系発泡剤は、双方を同時に添加することが好ましく、硬質塩化ビニル系樹脂１００重量部に対して、両発泡剤の合計量が０．２〜０．７重量部で、有機系発泡剤と無機系発泡剤との比が１：３〜３：１の範囲、例えば、それぞれ０．１５重量部ずつに設定することにより、良好な発泡性が得られる。
【００１３】
前記再生原料には、樹脂スクラップや廃材を粉砕して得たものであって、ポリ塩化ビニル、ポリエチレン、ポリプロピレン等からなる樹脂成形品、例えばペットボトル、家電製品の筐体や管継手等の建材製品の廃材、射出成形の際に発生したゲート等の不要部材やスクラップを粉砕して得たものである。この再生原料には、必要に応じて未使用の樹脂原料を混合したものを使用することができ、ゴム系の改質剤やスズ安定剤、熱安定剤、滑剤、加工助剤、顔料、可塑剤、充填剤、耐電防止剤、紫外線吸収剤、難燃剤等の各種の添加剤を添加することができる。
【００１４】
中間層１２として合成樹脂発泡体を用いることにより、三層パイプの軽量化が図れ、中間層１２として再生原料を用いることにより、樹脂成形品を射出成形あるいは押出成形したときに発生したスクラップや、老朽化して使用済みとなった廃材を有効活用することができる。
【００１５】
内層１３は、木粉と合成樹脂との混合物あるいは非発泡の合成樹脂のいずれかで形成されるものであって、木粉と合成樹脂との混合物には、前記外層１１に使用したものと同一又は類似の混合物を使用することができる。また、非発泡の合成樹脂は、一般的な樹脂成形品に使用する通常の合成樹脂をそのまま使用することができる。このとき、内層１３として木粉と合成樹脂との混合物を用いることにより、三層パイプの軽量化が図れ、内層１３として非発泡の合成樹脂を用いることにより、三層パイプ全体の強度を向上させることができ、また、内層１３に十分な耐水性を付与できるので、樋等にも使用可能となる。
【００１６】
外層１１，中間層１２及び内層１３に使用する合成樹脂は、三層パイプを成形する際の相溶性や熱融着強度を考慮すると、同一の樹脂材料を使用することが望ましく、木質感を生かして手摺や柱のような建材に三層パイプを使用する場合には、建材用として多く用いられている塩化ビニル樹脂が最適である。
【００１７】
各層の厚さは、それぞれ２ｍｍ以上であることが望ましく、外層１１が薄すぎると木質感が十分に得られなくなり、中間層１２が薄すぎると、合成樹脂発泡体を用いた軽量化効果や、再生原料を用いたリサイクル効果を十分に得られなくなる。また、内層１３が薄すぎると、木粉と合成樹脂との混合物を用いた軽量化効果や、非発泡の合成樹脂を用いた耐水性効果が十分に得られなくなる。
【００１８】
各層における最大厚さは、三層パイプの使用目的、口径、必要強度、全体の厚さ、成形性等の条件に応じて適当に設定することができるが、例えば外径が５０ｍｍ程度の三層パイプを手摺の柱に用いる場合は、外層１１を２〜３ｍｍ、中間層１２を４〜６ｍｍ、内層１３を２〜３ｍｍの範囲にすることが適当である。
【００１９】
また、このような三層パイプは、通常の共押出成形機を使用して丸パイプや角パイプに成形することが可能であり、押出成形後にエンボス柄を転写して表面に凹凸模様を施すことも可能である。さらに、外層１１の外面に直接あるいは適当に切削加工を施した後、適当な塗料を塗布したり、印刷したりすることもできる。
【００２０】
【発明の効果】
以上説明したように、本発明の三層パイプによれば、廃棄物の一つであるおが屑等から得られる木粉を使用して表面に木質感を有するパイプを得ることができる。また、木粉を混合することによって軽量化を図ることができ、特に、中間層に合成樹脂発泡体を使用したり、内層にも木粉と合成樹脂との混合物を使用したりすることによって大幅な軽量化を図れる。また、中間層に再生原料を使用することによって樹脂スクラップや廃材のリサイクルを図れる。さらに、内層に非発泡の合成樹脂を使用することによってパイプ全体の強度や内面の耐水性を向上させることもできる。
【図面の簡単な説明】
【図１】本発明の一形態例を示す三層パイプの断面図である。
【図２】要部の拡大断面図である。
【符号の説明】
１１…外層、１２…中間層、１３…内層
【図１】
2004188813.tif 000003
【図２】
2004188813.tif 000004